(57)【要約】【課題】簡単な構成で、新生児の様子を遠隔地でも知ることができ、さらにお祝い等の情報も伝達可能な新生児情報提供方法と提供システムを形成する。【解決手段】インターネット１２に接続した複数のクライアントコンピュータであるパソコン１３〜１５や携帯電話１６と、所定の新生児情報を記憶したサーバーコンピュータ１１とを備える。サーバーコンピュータ１１は、データ入力手段と、入力したデータをインターネット１２に接続可能とする通信手段と、新生児情報を記憶する記憶装置２２と、複数の新生児の中から特定の新生児情報を識別する識別手段と、複数の新生児の中からあるパソコン１４から指定された特定の新生児の新生児情報に対してそのパソコン１４がアクセス可能とする接続手段と、新生児情報にアクセスしたパソコン１４が新生児情報に一定の情報を記録することができる情報記録手段を有する。【選択図】　　　　図１
2004054388.tif 000002
【特許請求の範囲】
【請求項１】
インターネットに接続した複数のクライアントコンピュータと、所定の新生児情報を記憶したサーバーコンピュータとを備え、上記新生児情報は複数の新生児の中の特定の新生児の情報を識別する識別手段を有し、上記新生児情報は上記クライアントコンピュータから所定のデータを記録可能に設けられ、上記新生児情報を有する者から上記新生児情報の識別手段を告知された第三者は上記クライアントコンピュータから上記サーバーコンピュータの特定の新生児情報にアクセスし、上記新生児情報を得るとともに、上記新生児情報に一定の情報を記録することができることを特徴とする新生児情報提供方法。
【請求項２】
上記新生児情報は、新生児の写真と音声データを含み、上記新生児情報に上記クライアントコンピュータから記録可能な情報は、文字または音声の少なくとも何れかのデータであることを特徴とする請求項１記載の新生児情報提供方法。
【請求項３】
上記特定の新生児を識別する識別手段は、識別記号とパスワードであることを特徴とする請求項１または２記載の新生児情報提供方法。
【請求項４】
インターネットに接続した複数のクライアントコンピュータと、所定の新生児情報を記憶したサーバーコンピュータとを備え、上記クライアントコンピュータは、データ入力手段と、入力したデータをインターネットに接続可能とする通信手段とを有し、上記サーバーコンピュータは、データ入力手段と、入力したデータをインターネットに接続可能とする通信手段と、上記新生児情報を記憶する記憶装置と、複数の新生児の中から特定の新生児情報を識別する識別手段と、複数の新生児の中から上記クライアントコンピュータから指定された特定の新生児の新生児情報に対してそのクライアントコンピュータがアクセス可能とする接続手段と、上記新生児情報にアクセスした上記クライアントコンピュータが上記新生児情報に一定の情報を記録することができる情報記録手段とを備えたことを特徴とする新生児情報提供システム。
【請求項５】
上記サーバーコンピュータに新生児情報を記録する入力用のクライアントコンピュータを有し、所定の識別手段により特定の新生児情報の記録及び書き換えを所定のクライアントコンピュータから可能としたことを特徴とする請求項４記載の新生児情報提供システム。
【発明の詳細な説明】
【０００１】
【発明の属する技術分野】
この発明は、新生児に関する情報を、インターネットを介して遠隔地でも容易に知ることができるとともに、一定の情報を返信可能な新生児情報提供方法と提供システムに関する。
【０００２】
【従来の技術】
一般に、赤ちゃんの誕生は両親や家族の他、親戚や友人にとってもめでたくうれしいことである。そして出産の知らせは、特に遠隔地にいる祖父母や友人にも知らせたいものである。従来、出産の知らせは、赤ちゃんの母親自身で、若しくは付き添った夫や赤ちゃんの祖父母により親戚や友人に伝えられている。そして、それを聞いた親戚や友人は、可能な者はその赤ちゃんを見に産院や退院後の母親の居所に出かけたりしている。
【０００３】
【発明が解決しようとする課題】
上記従来の技術の場合、産院や母親の居所に出かけてお祝いを伝えられるのは、限られた近い地域に住む者だけであり、遠隔地の親戚や友人は、出産の知らせを聞いて、せいぜい電話で母親にお祝いを伝えることしかできず、赤ちゃんの顔を見たり、泣き声を聞くことはできないものであった。従って、特に夫が単身で遠隔地にいる場合や、遠隔地の祖父母にとっては、自分の子供や孫の姿や泣き声等が聞けず、きわめて残念な状態であった。
【０００４】
また、近年写真を送ることができる携帯電話が普及してきているが、病院内では他の医療機器への悪影響を避けるため、携帯電話の使用は制限されており、自分の赤ちゃんであっても、携帯電話で画像や声を送ることは、病院内ではできないものである。また、携帯電話では通話相手に情報を送るだけであり、広く気軽に多くの相手に新生児情報を送ることができるものではない。
【０００５】
この発明は、上記従来の技術に鑑みてなされたもので、簡単な構成で、新生児の様子を遠隔地においても知ることができ、さらにお祝い等の情報も伝達可能な新生児情報提供方法と提供システムを提供することを目的とする。
【０００６】
【課題を解決するための手段】
この発明は、インターネットに接続した複数のパソコンや携帯電話等の携帯情報端末を含むクライアントコンピュータと、所定の新生児情報を記憶したサーバーコンピュータとを備え、上記新生児情報は複数の新生児の中の特定の新生児の情報を識別するＩＤやパスワード等の識別手段を有し、上記新生児情報には上記クライアントコンピュータから一定の情報を記録可能に設けられ、上記新生児情報を有する者から上記新生児情報の識別手段を告知された第三者は、上記クライアントコンピュータから上記サーバーコンピュータの特定の新生児情報にアクセスし、上記新生児情報を得るとともに、上記新生児情報に一定の情報を記録することができるようにした新生児情報提供方法である。
【０００７】
また、上記新生児情報は、新生児の写真と泣き声等の音声データを含み、上記新生児情報に上記クライアントコンピュータから記録可能な情報は、文字または音声の少なくとも何れかのデータである。
【０００８】
またこの発明は、インターネットに接続した複数のクライアントコンピュータと、所定の新生児情報を記憶したサーバーコンピュータとを備え、上記クライアントコンピュータは、データ入力手段と、入力したデータをインターネットに接続可能とする通信手段とを有し、上記サーバーコンピュータは、データ入力手段と、入力したデータをインターネットに接続可能とする通信手段と、上記新生児情報を記憶する記憶装置と、複数の新生児の中から特定の新生児情報を識別する識別手段と、複数の新生児の中から上記クライアントコンピュータから指定された特定の新生児の新生児情報に対してそのクライアントコンピュータがアクセス可能とする接続手段と、上記新生児情報にアクセスした上記クライアントコンピュータが上記新生児情報に一定の情報を記録することができる情報記録手段とを備えた新生児情報提供システムである。
【０００９】
さらに、上記サーバーコンピュータに新生児情報を記録する入力用のクライアントコンピュータを有し、所定の識別手段により特定の新生児情報の記録及び書き換えを所定のクライアントコンピュータから可能としたものである。
【００１０】
【発明の実施の形態】
以下、この発明の実施の形態について説明する。図１〜図４はこの発明の一実施形態の新生児情報提供方法と提供システムを示すもので、この実施形態の新生児情報提供システムは、ネットワークの管理者１０等が運営するサーバーコンピュータ１１と、各々インターネット１２に接続した多数のクライアントコンピュータであるパソコン１３〜１５や、クライアントコンピュータとして機能する携帯情報端末である携帯電話１６等から成る。パソコン１３〜１５及び携帯電話１６は、周知のインターネット通信手段と、インターネットを介して得られる情報を表示するブラウザソフト等を備え、インターネット１２を介してサーバーコンピュータ１１内のデータにアクセス可能に設けられている。サーバーコンピュータ１１は、制御装置であるＣＰＵ２０及び記憶装置２２等を備え、インターネット１２上で提供されるホームページを管理し、各パソコン１３〜１５及び携帯電話１６等がそのホームページを閲覧可能とするウェブサイト管理プログラムや通信用プログラム等を備えている。
【００１１】
パソコン１３〜１５は、制御装置であるＣＰＵ２４とハードディスクや半導体メモリ等の記憶装置２５と、表示装置であるモニタ２６及び入力装置であるキーボード２７等を備えている。また携帯電話１６も同様に、制御回路や記憶装置、プッシュボタンの入力装置、及びディスプレイを備える。
【００１２】
パソコン１３は、産婦人科のある病院や医院等の産院施設１７内に設けられ、新生児情報を得るためのディジタルカメラ３０やビデオカメラ３２その他の入力装置が接続可能に設けられている。
【００１３】
この実施形態の新生児情報提供システムにより閲覧可能となるホームページは、図４に示すように、まず、産院に入院後、インターネットを介した新生児情報の提供をホームページの管理者に申し込む。すると、管理者から本人の識別記号であるＩＤ及びパスワードが発行される。この申し込みは、出産前または出産後でも良い。
【００１４】
次に、赤ちゃんや母親の写真、その他喜びのコメント等の必要な事項をＩＤとともにサーバーコンピュータ１１の記憶装置２２に記録する。赤ちゃん等の画像データや必要な文字データは、産院施設１７内のパソコン１３から行い、サーバーコンピュータ１１への記録もそのパソコン１３を用いてインターネット１２を介してサーバー１１へ記録する。なお、産院施設１７内のコンピュータがサーバー１１であっても良い。この後、その赤ちゃんの両親または依頼された業者の担当者が、この新生児情報にアクセスしてほしい親戚や知人にアクセス用のＩＤとパスワードをＥ−ｍａｉｌで知らせる。親戚や知人のＥ−ｍａｉｌアドレスは、予め申し込みの際に際に聞いておき、その赤ちゃんのホームページ完成後に、その聞いたＥ−ｍａｉｌアドレスに、インターネット１２を介してその赤ちゃんの写真のホームページのアドレスを知らせると良い。
【００１５】
次に、ＩＤとパスワードを聞いてその新生児情報のホームページにアクセスしようとする人は、図５に示すように、自分のパソコン１４，１５や携帯電話１６からこの新生児情報のホームページのアドレスを入力し、入室画面で受け取ったＩＤとパスワードを入力する。ＩＤとパスワードが一致していれば、この新生児情報提供アドレスのホームページに記録された複数の新生児情報の中の、所望の赤ちゃんの写真等が表示されたページにアクセスすることができる。また、一致しない場合はホームページへの入室が拒否され、不正なアクセスが阻止され、赤ちゃんや家族のプライバシーが保護される。
【００１６】
新生児情報の表示画面は、図３に示すように、パソコン１４のモニタ２６で通常のブラウザソフトにより見ることができる。例えば、その赤ちゃんの写真４２、名前や特徴、母親のコメント等を記載した記述部４４を備え、さらに、そのページを見た夫や祖父母、友人等からのメッセージ欄４６がある。メッセージ欄４６の内容は、返信ボタン４８をクリックすることにより、そのホームページのメッセージ欄４６にメッセージを書き込むことができる。また、携帯電話１６からこのホームページにアクセスした人も同様の操作により、新生児情報を得ることが出来、メッセージを送ることが出来る。このメッセージは、母親が病院等の産院施設１７内のパソコン１３を介してＩＤとパスワードを入力して見ることができる。
【００１７】
この新生児情報を提供するホームページの管理及びメンテナンスは、例えばその産婦人科病院へ出入りする業者により随時行われるようにするとよい。出産直後の母親は十分に動くことができず、母親の要望を聞いたりしてその業者の担当者が、上述のように写真の掲載や書誌的事項の記入を行なう。また、母親が動けるようになれば、ＩＤとパスワードにより自分の新生児情報提供ページを開いて内容を書き換えたり追加したり出来るようにしてもよい。
【００１８】
この実施形態の新生児情報提供方法と新生児情報提供システムによれば、インターネット１２に接続するパソコン１３〜１５や携帯電話１６等を操作して、ＩＤとパスワードを知らされた特定の人物が、親戚や知人の特定の新生児情報にアクセスすることができ、遠隔地にいて見に行けない人や、逐次その赤ちゃんの様子が知りたい場合等に、病院まで行かなくても知ることができる。また、出産した母親にとっても夫が遠隔地にいる場合でもメッセージ等を見ることにより母親は安心することが出来、遠くの祖父母や知人からのメッセージによってもうれしさが増すものである。さらに、産院にとっては、母親や家族が安心できる環境を提供することが出来、産院の信頼性が向上し人気も増す。
【００１９】
なお、この発明の新生児情報提供方法と新生児情報提供システムは、上記実施形態に限定されず、新生児情報のホームページに送ることができる情報は文字以外に、音声データでも良く、適宜の情報を書き込み可能としても良い。また、新生児情報のメンテナンスは、適宜産院側や母親自身で行なうものでも良く、専用のコンピュータを設置するものでも良い。
【００２０】
【発明の効果】
この発明の新生児情報提供方法と提供システムによれば、出産した母親と遠隔地の家族や親戚知人とのコミュニケーションを簡単にとることができ、遠隔地の人にとっては赤ちゃんの写真や状態を簡単に知ることができ、喜びや安心感がより大きくなるものである。
【図面の簡単な説明】
【図１】この発明の一実施形態の新生児情報提供システムの概略図である。
【図２】この発明の一実施形態の新生児情報提供システムのコンピュータを示す概略図である。
【図３】この発明の一実施形態の新生児情報提供システムのホームページの画面を示す概略図である。
【図４】この発明の一実施形態の新生児情報提供システムの新生児情報の入力を示す概略フローチャートである。
【図５】この発明の一実施形態の新生児情報提供システムの新生児情報の閲覧を示す概略フローチャートである。
【符号の説明】
１１　　サーバーコンピュータ
１２　　インターネット
１３，１３，１５　　パソコン
１６　　携帯電話
１７　　産院施設
【図１】
2004054388.tif 000003
【図２】
2004054388.tif 000004
【図３】
2004054388.tif 000005
【図４】
2004054388.tif 000006
【図５】
2004054388.tif 000007